(57)【要約】【課題】  正面からシャワーヘッドを挿入可能な使い勝手のよいシャワーハンガーを提供すること。【解決手段】  シャワーヘッドを支持するシャワーハンガーにおいて、前方が開放され開口部を有し、前後方向において前記開口部と連通する差込孔部が内側に形成されているアーム部を備え、前記アーム部の上端における前端から後端に亘って、下方に向けて切欠が設けられ、前記切欠は前記開口部の開口と左右方向で連通し、前記開口及び前記切欠の左右方向の大きさの和は、前記差込孔部の内径よりも大きく、前記シャワーヘッドを前記差込孔上部へ誘導する前記アーム部の内周面に第一傾斜部が形成されていることを特徴とするシャワーハンガー。【選択図】  図１
2015194020.tif 000002
【特許請求の範囲】
【請求項１】
シャワーヘッドを支持するシャワーハンガーにおいて、
前方が開放された開口部を有し、前後方向において前記開口部と連通する差込孔部が内側に形成されているアーム部を備え、
前記アーム部の上端における前端から後端に亘って、下方に向けて切欠が設けられ、前記切欠は前記開口部の開口と左右方向で連通し、前記開口及び前記切欠の左右方向の大きさの和は、前記差込孔部の内径よりも大きく、
前記シャワーヘッドを前記差込孔上部へ誘導する前記アーム部の内周面に第一傾斜部が形成されていることを特徴とするシャワーハンガー。
【請求項２】
前記シャワーヘッドを前記開口の中央へ誘導する前記アーム部の内周面に形成された第二傾斜部を有することを特徴とする請求項１に記載のシャワーハンガー。
【請求項３】
シャワーヘッドを支持するシャワーハンガーにおいて、
前方が開放された開口部を有し、前後方向において前記開口部と連通する差込孔部が内側に形成されているアーム部を備え、
前記アーム部の上部は、
前記アーム部の開口から後方に向けて形成されている第一の上部と、
前記第一の上部より後方、且つ、上方に形成されている第二の上部と、
前記第一の上部と前記第二の上部とを繋ぎ、前記第一の上部及び前記第二の上部の傾きより鉛直方向へ立設されている立壁部と、を有し、
前記シャワーヘッドが挿入されたときに、前記立壁部の内周面に形成された前記差込孔部がシャワーヘッドに当接されることを特徴としたシャワーハンガー。
【発明の詳細な説明】
【技術分野】
【０００１】
本発明は、浴室等の壁面にシャワーヘッドをかけて支持させるシャワーハンガーに関する。
【背景技術】
【０００２】
従来のシャワーハンガーは、シャワーヘッドの把持部が、シャワーハンガーの前面が開放された差込孔部に出し入れ自在に支持されている。使用者がこの種のシャワーハンガーを使用する際には、シャワーヘッドをシャワーハンガーに支持した状態で使用したり、シャワーヘッドをシャワーハンガーから上方に持ち上げて抜き出したのちにシャワーヘッドを使用したりしていた。
【０００３】
このようなシャワーハンガーは、シャワーヘッドを正面から平行方向に移動させてシャワーハンガーに支持することはできないため、シャワーヘッドをシャワーハンガーに支持する場合は必ずシャワーヘッドを、差込孔部の真上に位置させ、下方向へ移動させる必要があり、操作性が悪いものであった。
【０００４】
その対策として、下記特許文献１に記載されたものが提案されている。下記特許文献１には、シャワーヘッドを支持する係止部を先端に有した対のアームと、両アームの間に挾持したスプリングと、両アーム後端部を上下から挾着するカバー部材及び底板を備え、前記両アームは前記スプリングの弾性に抗して左右へ回転可能としたシャワーハンガーの開示がある。
【先行技術文献】
【特許文献】
【０００５】
【特許文献１】特開２００６−９２８０号公報
【発明の概要】
【発明が解決しようとする課題】
【０００６】
上記特許文献１に記載のシャワーハンガーにおいては、使用者がシャワーヘッドを正面から平行移動させると、スプリングが収縮するとともにアームが開き、把持部がシャワーハンガーに挿入される。その後スプリングの付勢力によってアームが閉じ、シャワーハンガーにシャワーヘッドが支持される。しかしながら、シャワーヘッドをシャワーハンガーに挿入させるときには、使用者はスプリングに抗して動作を行う必要があり、力の弱い使用者にとっては使い勝手の面で問題があった。また、その構造も複雑であった。
【課題を解決するための手段】
【０００７】
本発明の態様の１つは、シャワーヘッドを支持するシャワーハンガーにおいて、前方が開放された開口部を有し、前後方向において前記開口部と連通する差込孔部が内側に形成されているアーム部を備え、前記アーム部の上端における前端から後端に亘って、下方に向けて切欠が設けられ、前記切欠は前記開口部の開口と左右方向で連通し、前記開口及び前記切欠の左右方向の大きさの和は、前記差込孔部の内径よりも大きく、前記シャワーヘッドを前記差込孔上部へ誘導する前記アーム部の内周面に第一傾斜部が形成されていることを特徴とするシャワーハンガーである。
【０００８】
このように構成された発明においては、開口の左右の大きさの和が、差込孔部の内径よりも大きく形成されることで、切欠からシャワーヘッドを挿入することができる。また、切欠及び開口からシャワーヘッドを挿入する時に、第一傾斜部に沿ってシャワーヘッドが差込孔部上部へ誘導されるので、シャワーヘッドを差込孔部に挿入しやすい。
【０００９】
本発明の選択的な態様においては、前記シャワーヘッドを前記開口の中央へ誘導する前記アーム部の内周面に形成された第二傾斜部を有することを特徴とするシャワーハンガーである。
【００１０】
このように構成された発明においては、使用者がシャワーヘッドを挿入する時、開口の中央より左右どちらかにずれて切欠及び開口から挿入したとしても、第二傾斜部によって開口部の中央へ誘導されるため、容易にシャワーヘッドを挿入できる。
【００１１】
本発明の選択的な態様においては、シャワーヘッドを支持するシャワーハンガーにおいて、前方が開放された開口部を有し、前後方向において前記開口部と連通する差込孔部が内側に形成されているアーム部を備え、前記アーム部の上部は、前記アーム部の開口から後方に向けて形成されている第一の上部と、前記第一の上部より後方、且つ、上方に形成されている第二の上部と、前記第一の上部と前記第二の上部とを繋ぎ、前記第一の上部及び前記第二の上部の傾きより鉛直方向へ立設されている立壁部と、を有し、前記シャワーヘッドが挿入されたときに、前記立壁部の内周面に形成された前記差込孔部がシャワーヘッドに当接されることを特徴としたシャワーハンガーである。
【００１２】
このように構成された発明においては、シャワーヘッドをシャワーハンガーに挿入するときに、立壁部の内周面に形成された差込孔部がシャワーヘッドに当接するので、使用者は容易に奥行き方向のシャワーヘッドの位置決めを行える。そのため、シャワーヘッドが当接した位置にて使用者がシャワーヘッドを手から放すと差込孔部にシャワーヘッドを挿入することができる。
【発明の効果】
【００１３】
本発明のシャワーハンガーによれば、簡単な構成で、正面からシャワーヘッドを挿入可能な使い勝手のよいシャワーハンガーを提供することができる。
【図面の簡単な説明】
【００１４】
【図１】本発明の実施形態に係るシャワーハンガーの斜視図。
【図２】本発明の実施形態に係るシャワーハンガーの平面図。
【図３】本発明の実施形態の変形例に係るシャワーハンガーの斜視図。
【図４】本発明の実施形態の変形例に係るシャワーハンガーの側面図。
【図５】シャワーハンガーに引っ掛ける一般的なシャワーヘッドの斜視図。
【発明を実施するための形態】
【００１５】
以下、本発明のシャワーハンガーを詳細に説明する。本発明のシャワーハンガー１は、浴室内の壁等に取り付けられ、図５に示すようなシャワーヘッド１００を支持している。図５は、シャワーハンガー１に引っ掛ける一般的なシャワーヘッド１００の斜視図である。シャワーヘッド１００は、下端に接続部１１０が設けられ、接続部１１０にホース１２０が接続される。また、使用者が握りやすいような外形寸法の把持部１３０が形成されている。把持部１３０はシャワーを使用する際に使用者から握られる部分である。
【００１６】
図１は、本発明の実施形態に係るシャワーハンガーの斜視図である。本明細書においては、図１、図３に示すように、シャワーハンガー１が設置される壁面側（図示なし）を後ろ方向、反対を前方向とし、前側からみた状態にて左を左方向、右を右方向、鉛直方向の上下を上方向、下方向として説明する。
【００１７】
シャワーハンガー１は、上面が前方に向かって下り傾斜している略直方体である。シャワーハンガー１の上面から下面にかけて差込孔が貫設され、シャワーヘッド１００を着脱自在に保持する差込孔部１０が形成されている。
【００１８】
シャワーハンガー１の差込孔部１０は、一対のアーム部２２の内側に形成されている。一対のアーム部２２の間には、前方が開放され開口部２０が形成され、前後方向において開口部２０と差込孔部１０が連通している。
【００１９】
アーム部２２の上端における前端から後端に亘って、下方に向けて切欠２４が設けられ、切欠２４は開口部２０と左右方向で連通し、開口部２０及び切欠２４の左右方向の大きさの和は、差込孔部１０の内径よりも大きい。切欠２４は、左右のアーム部２２の下部における前端から、アーム部２２の内周面の上部に向かって、略三角形に、アーム部２２の内周面の一部が切り欠かれている。このような構成とすることによって、シャワーヘッド１００をシャワーハンガー１の正面から挿入できる。なお、切欠２４は、これに限定されず、アーム部２２の上部の少なくとも一部が切り欠かれていればよい。
【００２０】
図２は本発明の実施形態に係るシャワーハンガーの平面図である。図２に示すように、開口部２０の開口と切欠２４の左右方向の大きさの和Ｗ１は、差込孔部１０の下端の内径Ｗ２よりも大きく形成されている。Ｗ１は、シャワーヘッド１００の接続部１１０又は把持部１３０の外形寸法より大きく形成されているので、シャワーハンガー１の正面からシャワーヘッド１００を挿入することができる。
【００２１】
差込孔部１０の上部の内径は、シャワーヘッド１００の接続部１１０又は把持部１３０の外形寸法より大きく、下部の内径は、シャワーヘッド１００の接続部１１０又は把持部１３０の外形寸法より小さい。差込孔部１０の内径は上端から下方に向かってテーパ状に縮径している。
【００２２】
差込孔部１０の下部の前方は、シャワーヘッド１００の接続部１１０又は把持部１３０の外径よりも小さい幅Ｌ１の開口となっている。つまり、差込孔部１０の下部は、差込孔部１０の中心よりも前方において幅Ｌ１の開口が形成されている。そのため、シャワーヘッド１００をシャワーハンガー１に取り付けたときに、前方に飛び出すことなく保持できる。なお、差込孔部１０の内径の大きさは、前後方向において少なくとも一部がシャワーヘッド１００の接続部１１０又は把持部１３０の外形寸法より小さければよい。
【００２３】
差込孔部１０の上端から上方に向かって、シャワーヘッド１００の接続部１１０又は把持部１３０を当接させる当接部３０が形成されている。言い換えると当接部３０は、差込孔部１０の上縁から上方に延びるように形成されている。当接部３０は、シャワーハンガー１の正面からシャワーヘッド１００を挿入した時に、挿入方向（シャワーハンガー１の前後方向）におけるシャワーヘッド１００の位置を決めるためのものである。そのため、差込孔部１０の上縁の少なくとも後方部分が、上方に延びていればよい。
【００２４】
このような構成とすることで、使用者は、シャワーヘッド１００を切欠２４及び開口部２０の開口から挿入し、シャワーヘッド１００を当接部３０に当接するまで挿入し、下方へ移動させて差込穴部１０に差し込むことで、シャワーヘッド１００を簡単にシャワーハンガー１に保持させることができる。
【００２５】
切欠２４が設けられることで、アーム部２２において、厚肉部分と薄肉部分とが形成される。アーム部２２の厚肉部分には、シャワーヘッド１００を差込孔部１０の上部に誘導する第一傾斜部２６と、シャワーヘッド１００を開口部２０の中央部に誘導する第二傾斜部２８が形成されている。
【００２６】
第一傾斜部２６は、開口部２０を形成する左右のアーム部２２の下部における前端から、差込孔部１０の上部に向かって上り傾斜している。シャワーヘッド１００が挿入されるとき、接続部１１０又は把持部１３０がこの第一傾斜部２６に当接された状態でシャワーヘッド１００に後方への力が加わると、第一傾斜部２６によって後方への力が斜め上方への力へと変換される。この斜め上方への力によって、シャワーヘッド１００が第一傾斜部２６に沿って移動することで、差込孔部１０の上部に誘導される。また、第一傾斜部２６は、シャワーヘッド１００が当接された際に誘導しやすいように、アールが設けられている。なお、本明細書において「アール」は断面が厳密に円弧状である必要はなく、曲面であればよい。
【００２７】
このような構成とすることで、使用者は、シャワーヘッド１００を切欠２４及び開口部２０の開口から挿入する時に、第一傾斜部２６に沿ってシャワーヘッド１００が差込孔部１０の上部へ誘導されるので、上下方向の位置決めを厳密に行う必要がなく、シャワーヘッド１００を差込孔部１０へ簡単に挿入できる。
【００２８】
第二傾斜部２８は、開口部２０を形成する左右の側壁部の下部における前端から、後方側に向かって左右のアーム部２２の内周面から開口部２０の中央へ迫り出すように傾斜している。シャワーヘッド１００を挿入するとき、接続部１１０又は把持部１３０がこの第二傾斜部２８に当接された状態で後方へ力が加わると、シャワーヘッド１００は第二傾斜部２８に沿って移動するので、開口部２０の中央に誘導される。
【００２９】
このような構成とすることで、使用者は、シャワーヘッド１００を切欠２４及び開口部２０の開口から挿入する時に、第二傾斜部２８に沿って開口部２０の開口の中央へ誘導されるので、左右方向の位置決めを厳密に行う必要がなく、シャワーヘッド１００を差込孔部１０へ簡単に挿入できる。
【００３０】
本発明における実施形態は、使用者がシャワーヘッド１００を正面からシャワーハンガー１に挿入する時、まず、第二傾斜部２８によって開口の中央へ誘導され左右方向の位置が決められ、次に、第１傾斜部２６によって差込孔部１０の上部へ誘導され上下方向の位置が決められ、最後に挿入方向に押し込むことで当接部３０に当接するまで移動させることによって前後方向の位置が決められ、シャワーヘッド１００は、差込孔部１０の真上へ位置する。そして、使用者はそのままシャワーヘッド１００から手を離すことで、シャワーヘッド１００は自重によって、差込孔部１０へと挿入される。このようにして、簡単にシャワーヘッド１００をシャワーハンガー１に保持させることができる。シャワーヘッド１００を挿入方向に向かって押すだけでシャワーハンガー１に保持させることができるので、どのような使用者にとっても使い勝手の良いものとなる。また、本発明のシャワーハンガー１は、スプリング等の可動部材を使わずに簡単な構成で実現することが可能である。
【００３１】
次に、本発明の変形例について説明する。図３に示すように変形例におけるシャワーハンガー１は、前方が開放された開口部２０を有し、前後方向において開口部２０と連通する差込孔部１０が内側に形成されているアーム部２２を備えている。アーム部２２の前端部によって形成される開口部２０の幅Ｌ２は、シャワーヘッド１００の接続部１１０又は把持部１３０の外径よりも小さい。そのため、シャワーヘッド１００が前方へ飛び出すことはない。
【００３２】
アーム部２２の上部には、アーム部２２の開口部２０から後方に向けて形成されている第一の上部４０が設けられている。更に、アーム部２２の上部には、第一の上部４０の後方、且つ、上方に形成されている第二の上部４２が設けられている。第一の上部４０と第二の上部４２との間には、両者を繋ぐ立壁部４４が形成されている。
【００３３】
図４は本発明の実施形態の変形例に係るシャワーハンガーの側面図である。図４に示すように、第一の上部４０及び第二の上部４２は後方に向かって上り傾斜している。立壁部４４は、第一の上部４０の後端部から鉛直方向へ連続的に延び、第二の上部４２と接続される。
【００３４】
アーム部２０の上部を上述した構成としたことで、シャワーヘッド１００をシャワーハンバー１に挿入するときに、立壁部４４の内周面に形成された差込孔部１０がシャワーヘッド１００に当接する。使用者は、シャワーヘッド１００を立壁部４４の内周面に形成された差込孔部１０に当接させるだけで、容易に奥行き方向のシャワーヘッド１００の位置決めを行うことができる。その後、シャワーヘッド１００が当接した位置にて使用者がシャワーヘッド１００を手から放すと差込孔部１０にシャワーヘッド１００を差し込むことができる。
【００３５】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３６】
１    シャワーハンガー
１０  差込孔部
２０  開口部
２２  アーム部
２４  切欠
２６  第一傾斜部
２８  第二傾斜部
３０  当接部
４０  第一の上部
４２  第二の上部
４４  立壁部
【図２】
2015194020.tif 000003
【図３】
2015194020.tif 000004
【図４】
2015194020.tif 000005
【図５】
2015194020.tif 000006
【図１】
2015194020.tif 000007